(57)【要約】【課題】  解錠時に操作ハンドルを扉等の開閉の取っ手として利用することができるとともに、錠本体のコンパクト化が可能な施錠装置を提供する。【解決手段】  施錠装置１は、扉２に取り付けられる錠本体３と、錠本体３に挿入され施錠・解錠が可能な操作ハンドル４とを含む。錠本体３のフランジ１１および円筒部１２によって形成された空間部内には、回転体２０が摺動回転可能に収容される。回転体２０の摺動部２１には、ピン２３から径方向外側であって軸方向へと延びる４つの凹部２４ａ，２４ｂ，２４ｃ，２４ｄが形成される。凹部２４ａ〜２４ｄには、これに対応する羽根３１ａ，３１ｂ，３１ｃ，３１ｄを有するシャッター板３０がスプリング３４を介して取り付けられる。羽根３１ａおよび３１ｃには、フランジ１１側に突出する突起部３５が形成され、フランジ１１には、突起部３５に対応する一対の溝部１６が形成される。【選択図】図３
2011117149.tif 000002
【特許請求の範囲】
【請求項１】
鍵部および握持部を有する操作ハンドルと、この操作ハンドルによって施錠・解錠可能な錠本体と、前記操作ハンドル挿入方向である軸方向とを含む施錠装置において、
前記鍵部は、前記軸方向に延びる軸部と、前記軸部から径方向外側へ延びる延出部とを有し、
前記錠本体は、前記鍵部が挿入される貫通孔が形成されたフランジおよび前記フランジ周縁から前記軸方向に延びる円筒部を有するハウジングと、前記円筒部内を摺動回転可能であるとともに前記鍵部が挿入可能であって前記軸方向に延びる凹部を有する回転体と、前記凹部に付勢手段を介して嵌合されるとともに軸方向に移動可能な羽根を有するシャッター板と、前記ハウジングから延出する前記回転体の延出軸に取り付けられ前記回転体の回転に伴って旋回可能な爪金具とを有し、
前記シャッター板の羽根には、前記フランジに向かって突出する突起部が形成され、前記フランジには、前記突起部が嵌合可能な溝部が形成され、
前記操作ハンドルの鍵部は、前記シャッター板を前記円筒部内へと前記軸方向に押圧するとともに、前記凹部に移動可能であり、前記回転体は、前記操作ハンドルの回動によって摺動回転し、前記延出部が前記フランジの前記溝部に嵌合されることを特徴とする前記施錠装置。
【請求項２】
前記フランジの前記溝部の前記軸方向の長さ寸法と、前記シャッター板の前記突起部のそれとは、同じ大きさを有する請求項１記載の施錠装置。
【請求項３】
前記操作ハンドルの前記延出部の前記軸方向の長さ寸法は、前記突起部のそれと同じか、それよりも大きい請求項１または２記載の施錠装置。
【請求項４】
前記回転体の前記凹部の前記軸方向の長さ寸法は、前記延出部の前記軸方向の長さ寸法と前記羽根の前記軸方向の長さ寸法とが加算された寸法よりも大きい請求項１〜３のいずれかに記載の施錠装置。
【請求項５】
前記回転体の回転を一定角度範囲内に規制する回転規制手段をさらに含む請求項１〜４のいずれかに記載の施錠装置。
【発明の詳細な説明】
【技術分野】
【０００１】
この発明は、施錠装置に関し、さらに詳細には、施錠時には、鍵穴がシャッター板により閉鎖されて防水および防塵が可能な施錠装置に関する。
【背景技術】
【０００２】
従来、操作ハンドルを施錠装置の鍵穴に挿入し、錠本体の奥へと押し付けながら、操作ハンドルを時計方向または反時計方向に回動させて施錠および解錠する施錠装置が知られている。例えば、特許文献１によれば、操作ハンドルを回動させて解錠すると、操作ハンドルが錠本体内部に引っかかり、鍵穴から抜けないようにすることができる。したがって、解錠状態で操作ハンドルを引っ張って扉等を開閉することができ、操作ハンドルが、施錠装置の解錠と、扉等の開閉用取っ手との役割を兼ねることができる。
【先行技術文献】
【特許文献】
【０００３】
【特許文献１】特許第２９５７４７４号（ＪＰ  ２９５７４７４  Ｂ２）
【発明の概要】
【発明が解決しようとする課題】
【０００４】
上記のような施錠装置の錠本体は、鍵穴が形成される頂部と、頂部の周囲に軸方向に延びる円筒状部とを有し、円筒状部には回転可能な第１および第２回転子が収容されている。第１回転子には、頂部に対向するとともに十字形に延びる凹部が形成され、頂部の内側には、凹部に対応する一対の凸部が形成されている。第１回転子と第２回転子との間にはスプリングが取り付けられ、第１回転子を頂部側へと付勢している。したがって、第１回転子はハンドルによって押し付けられなければその凹部に凸部が嵌合され施錠状態が維持される。施錠状態から解錠させようとした場合には、凸部の厚さ寸法以上に第１回転子を操作ハンドルで押し付けて回転させるとともに、解錠状態においては、ハンドルの先端と凸部とが軸方向に並んで位置する。したがって、円筒状部の軸方向の長さ寸法は、凸部、ハンドル先端、および第２回転子の厚さ方向のそれぞれの長さ寸法を加算したものとなり、軸方向に大きくなりがちである。
【０００５】
この発明は、解錠時に操作ハンドルを扉等の開閉の取っ手として利用することができるとともに、錠本体のコンパクト化が可能な施錠装置を提供することを課題とする。
【課題を解決するための手段】
【０００６】
この発明は、鍵部および握持部を有する操作ハンドルと、この操作ハンドルによって施錠・解錠可能な錠本体と、前記操作ハンドル挿入方向である軸方向とを含む施錠装置の改良に関わる。
【０００７】
この発明は、前記施錠装置において、前記鍵部は、前記軸方向に延びる軸部と、前記軸部から径方向外側へ延びる延出部とを有し、前記錠本体は、前記鍵部が挿入される貫通孔が形成されたフランジおよび前記フランジ周縁から前記軸方向に延びる円筒部を有するハウジングと、前記円筒部内を摺動回転可能であるとともに前記鍵部が挿入可能であって前記軸方向に延びる凹部を有する回転体と、前記凹部に付勢手段を介して嵌合されるとともに軸方向に移動可能な羽根を有するシャッター板と、前記ハウジングから延出する前記回転体の延出軸に取り付けられ前記回転体の回転に伴って旋回可能な爪金具とを有し、前記シャッター板の羽根には、前記フランジに向かって突出する突起部が形成され、前記フランジには、前記突起部が嵌合可能な溝部が形成され、前記操作ハンドルの鍵部は、前記シャッター板を前記円筒部内へと前記軸方向に押圧するとともに、前記凹部に移動可能であり、前記回転体は、前記操作ハンドルの回動によって摺動回転し、前記延出部が前記フランジの前記溝部に嵌合されることを特徴とする。
【０００８】
この発明の実施態様のひとつとして、前記フランジの前記溝部の前記軸方向の長さ寸法と、前記シャッター板の前記突起部のそれとは、同じ大きさを有する。
【０００９】
他の実施態様のひとつとして、前記操作ハンドルの前記延出部の前記軸方向の長さ寸法は、前記突起部のそれと同じか、それよりも大きい。
【００１０】
他の実施態様のひとつとして、前記回転体の前記凹部の前記軸方向の長さ寸法は、前記延出部の前記軸方向の長さ寸法と前記羽根の前記軸方向の長さ寸法とが加算された寸法よりも大きい。
【００１１】
他の実施態様のひとつとして、前記回転体の回転を一定角度範囲内に規制する回転規制手段をさらに含む。
【発明の効果】
【００１２】
この発明において、ハウジングのフランジに溝部を形成し、施錠時には溝部にシャッター板の突起部が嵌合され、解錠時には操作ハンドルの鍵部を構成する延出部が溝部に嵌合されることとしている。したがって、解錠時に操作ハンドルは、ハウジングで保持され、これを引っ張っても抜けることがないので、扉等の開閉の取っ手として利用することができる。さらに、溝部に操作ハンドルを嵌合することによって、錠本体のコンパクト化が可能となる。
【図面の簡単な説明】
【００１３】
【図１】使用状態を示す斜視図。
【図２】図１のＩＩ−ＩＩ線断面図。
【図３】施錠装置の分解斜視図。
【図４】施錠装置の操作ハンドル挿入面とは反対から見た平面図。
【図５】施錠装置の作用説明図。
【図６】施錠装置の作用説明図。
【発明を実施するための形態】
【００１４】
図１〜６は、この発明の施錠装置の一実施形態を示したものである。図１はこの施錠装置を扉に取り付け、操作ハンドルで解錠操作する時の状態を示す斜視図、図２は図１のＩＩ−ＩＩ線断面図、図３は施錠装置の各構成部品を示す分解斜視図、図４は施錠装置の操作ハンドル挿入面とは反対から見たときの平面図、図５および６は施錠装置の作用を説明する図である。図４において、説明のためその一部を省略している。
【００１５】
施錠装置１は、扉２に取り付けられる錠本体３と、錠本体３に挿入され施錠・解錠が可能な操作ハンドル４とを含む。図１に示したように、施錠装置１の施錠状態では、錠本体３の爪金具６０が固定枠５へと延出して引っかかり、扉２をあけることができない。錠本体３に操作ハンドル４を挿入し、これを時計回りに回動させることによって、錠本体３に取り付けられた爪金具６０が矢印Ｘ方向へと旋回し、仮想線の位置へと移動して固定枠５から外れ、解錠することができる。
【００１６】
操作ハンドル４は、軸方向に延びる軸部４１と、軸部４１の一端部に形成されるとともに軸方向に直行して延びる握持部４２と、軸部４１の他端部に形成されるとともに軸方向に直交して延出する一対の延出部４３とを有している。これら軸部４１の一部と延出部４３とで鍵部が形成されている。軸部４１の他端部には、軸方向に延びる開口４４が形成されている。
【００１７】
錠本体３において、操作ハンドル４の挿入方向を軸方向とし、操作ハンドル４の挿入時にこれらの軸方向が一致する。錠本体３は、扉２に当接するフランジ１１と、フランジ１１に対して軸方向に延びる円筒部１２とを含むハウジング１０を有している。フランジ１１には、操作ハンドル４を挿入可能な貫通孔１４が形成され、貫通孔１４は、操作ハンドル４の軸部４１に対応する中心孔１４ａと、中心孔１４ａから径方向に延びるとともに、延出部４３に対応する延出孔１４ｂとを有している。フランジ１１と円筒部１２との間には、フランジ内面１３が形成され、フランジ内面１３はパッキン７１を介して扉２に当接されている。円筒部１２が扉２に形成された取付孔２ａに入れられ、Ｏリング７２を介してナット７３を螺合することによって、ハウジング１０が扉２に取り付けられる。
【００１８】
図２および３に示したように、ハウジング１０には、フランジ１１および円筒部１２によって形成された空間部内に位置する回転体２０が摺動回転可能に収容されている。回転体２０は、ハウジング１０に摺動可能な摺動部２１と、摺動部２１から軸方向へと延びてハウジング１０外に延出する矩形の延出軸２２とを有している。摺動部２１には、軸方向に延びるピン２３と、ピン２３から径方向外側であって軸方向へと延びる４つの凹部２４ａ，２４ｂ，２４ｃ，２４ｄが形成される。凹部２４ａ〜２４ｄは、互いに約９０度で等間隔に形成されるとともに、ピン２３を中心にして十字型になるように形成されている。すなわち凹部２４ａと２４ｃとが、ほぼ一直線となるように対向し、凹部２４ｂと２４ｄとがほぼ一直線となるように対向している。
【００１９】
回転体２０の摺動部２１の周面には、環状溝２５が形成されＯリング７４が取り付けられている。延出軸２２の内側には、ねじ穴２６が形成されている。また、回転体２０の摺動部２１と延出軸２２との間には、抜け落ち防止バネ７５が取り付けられ、このバネ７５を円筒部１２内側に形成した環状溝１５に挿入することによって、回転体２０がハウジング１０から脱落するのを防止している。
【００２０】
回転体２０の内側には、スプリング３４を介してシャッター板３０が取り付けられている。シャッター板３０は、凹部２４ａ，２４ｂ，２４ｃ，２４ｄに対応する羽根３１ａ，３１ｂ，３１ｃ，３１ｄと、これら中心に位置する中心部３２と、中心部３２に形成された中心孔３３とを有している。ピン２３が中心孔３３に挿入され、凹部２４ａ〜２４ｄに各羽根３１ａ〜３１ｄが位置する。スプリング３４は、ピン２３に挿入され、羽根３１ａ〜３１ｄと、凹部２４ａ〜２４ｄの底面との間で保持されている。
【００２１】
羽根３１ａおよび３１ｃには、フランジ１１側に突出する突起部３５が形成され、フランジ１１には、突起部３５に対応する一対の溝部１６が形成されている。溝部１６は、フランジ１１を貫通することなく、他の部分よりも肉薄となったフランジ１１で覆われている。シャッター板３０は、スプリング３４によってフランジ１１側に付勢されているから、施錠時においては、羽根３１ａおよび３１ｃの突起部３５が溝部１６に嵌合され、羽根３１ｂおよび３１ｄが貫通孔１４から露出される。言い換えれば、羽根３１ｂおよび３１ｄによって、貫通孔１４が閉鎖される。このように貫通孔１４が閉鎖されることによって、施錠時において、ハウジング１０内に水や塵が入るのを防止している。また、この状態においては、突起部３５と溝部１６との嵌合によって、回転体２０の回転が規制される。
【００２２】
回転体２０の延出軸２２には、係止板５０がその中心に形成された角穴５１を嵌合させて装着されている。係止板５０は、ハウジング１０の円筒部１２であって、フランジ１１とは反対端に位置するとともに、この反対端を閉鎖するような大きさとなっている。係止板５０の周囲部には、周方向に離間するとともに、外側に突出した２つの部位で係止部５２ａ，５２ｂが形成されている。この係止部５２ａ，５２ｂに対応する位置において、円筒部１２の反対端には、軸方向に一体的に突出したストッパ１７が形成されている。
【００２３】
係止板５０は、回転体２０に伴って回転するが、図４に示したように、係止板５０の係止部５２ａ，５２ｂは、回転体２０を時計回りまたは反時計回りに回転した際、一方の係止部５２ａがストッパ１７の一方の端部１７ａに当接し、他方の係止部５２ｂが他方の端部１７ｂに当接し、それ以上の回転が規制される。このときの回転体２０の回転角度は、約９０度になるように、係止部５２ａ，５２ｂおよび端部１７ａ，１７ｂが形成されている。このような位置関係に設定するのは、回転体２０における凹部２４ａ〜２４ｄの開口形状が十字型であるからであり、係止部５２ａ，５２ｂと、ストッパ１７の端部１７ａ，１７ｂとによって、回転体２０の回転を一定角度範囲内に規制する回転規制手段が構成されている。
【００２４】
回転体２０の延出軸２２には、さらに、ワッシャ７６を介して爪金具６０が装着されている。ワッシャ７６および爪金具６０には、その中心に角穴７６ａおよび６１が形成され、それぞれ延出軸２２に装着されている。爪金具６０は、ハウジング１０の円筒部１２よりも軸方向外側へと延びる略矩形を有しており、回転体２０と一体的に約９０度旋回可能とされている（図１参照）。
【００２５】
爪金具６０の軸方向外側には、ワッシャ７７を介して、ネジ７８が取り付けられている。ワッシャ７７は、延出軸２２よりも径が小さい丸穴７７ａを有し、この丸穴７７ａにネジ７８を挿入するとともに、このネジ７８は回転体２０の延出軸２２に形成されたネジ穴２６に螺合される。このようにして、係止板５０、ワッシャ７６、爪金具６０が延出軸２２から抜けるのを防止している。
【００２６】
図５(ａ)に示したように、施錠装置１は施錠状態にあるとき、シャッター板３０の羽根３１ａ，３１ｃの突起部３５，３５が、スプリング３４の付勢によりハウジング１０のフランジ１１に押しつけられて溝部１６，１６に嵌合される。突起部３５，３５と溝部１６，１６とが嵌合することによって、シャッター板３０がハウジング１０に対して回転するのを規制することができ、さらにシャッター板３０を保持する回転体２０が前記回転規制手段によってハウジング１０に対して回転するのを規制することができる。回転体２０が回転しないので、これに取り付けられた爪金具６０も旋回することがなく、扉２の内側から爪金具６０が旋回されて解錠されるのを防止することができる。このとき、図示しない羽根３１ｂ，３１ｄは、貫通孔１４を閉鎖している。この状態において、係止部５２ａがストッパ１７の端部１７ａに当接し、係止部５２ｂが端部１７ｂとは離間している(図４参照)。
【００２７】
この施錠装置１を解錠して扉２を開閉する際には、操作ハンドル４の突出部４３をハウジング１０の貫通孔１４に差し込むとともに、貫通孔１４を閉鎖している羽根３１ｂ，３１ｄに当接させる（図示せず）。さらに、操作ハンドル４を押し込んで、図５（ｂ）に示したように、シャッター板３０の羽根３１ａ，３１ｃおよび突起部３５，３５をスプリング３４の付勢に抗して回転体２０の凹部２４ａ，２４ｃへ押し込む。これによりシャッター板３０の羽根３１ａ，３１ｃの突起部３５が溝部１６から外れるとともに操作ハンドル４の延出部４３が回転体２０の凹部２４ｂ，２４ｄに入る（図示せず）。
【００２８】
この状態で操作ハンドル４を回転すると、延出部４３が回転体２０を回転させ、係止板５０の係止部５２ｂがハウジング１０のストッパ１７の端部１７ｂに当たって停止する(図４参照)。このときの回転体２０の回転角は約９０度である。その結果、固定枠５に係止している爪金具６０が図１の矢印Ｘの方向に旋回し、爪金具６０が固定枠５から外れ、解錠状態にすることができる。
【００２９】
図６（ａ）に示したように、スプリング３４を撓ませながら操作ハンドル４を回転させ、回転体２０の回転を回転させることによって、凹部２４ｂ，２４ｄおよびシャッター板３０の羽根３１ｂ，３１ｄが、溝部１６，１６に対応する位置に移動する。さらに、操作ハンドル４の延出部４３も溝部１６に対応する位置に回転して移動する。
【００３０】
操作ハンドル４のハウジング１０内部への押し付けをやめると、図６（ｂ）に示したように、解錠状態の操作ハンドル４は、シャッター板３０を介してスプリング３４でフランジ１１側に押圧される。したがって、延出部４３は、軸方向に移動して溝部１６に嵌合される。このような状態において、操作ハンドル４を扉２の外側に引っ張ると、突出部４３がフランジ１１に引っかかって、扉２を開けることができる。したがって、操作ハンドル４を扉２の開閉の取っ手として利用することができ、扉２の開閉を容易におこなうことができる。また、延出部４３が溝部１６に嵌合することによって、操作ハンドル４の回転を規制することができる。したがって、操作ハンドル４を持って扉２を開閉する際に、誤ってこれが溝部１６から外れ、さらには貫通孔１４から抜けてしまうのを防止することができる。
【００３１】
この実施形態によれば、フランジ１１に溝部１６を形成し、施錠状態では、この溝部１６にシャッター板３０の突起部３５を嵌合させ、解錠状態では、操作ハンドル４の突出部４３を嵌合させることとして、それぞれの回転を規制しているので、この規制手段としてフランジ１１内側に凸部を形成する場合に比べて、軸方向の長さ寸法を小さくすることができる。
【００３２】
この実施形態において、フランジ１１の溝部１６の軸方向の長さ寸法Ｐと、シャッター板３０の突起部３５の軸方向の長さ寸法Ｑとは、ほぼ等しくされている。したがって、溝部１６に突起部３５が嵌合している施錠状態には、突起部３５が形成されていない羽根３１ｂ，３１ｄがフランジ１１の内面に接触し、貫通孔１４を閉鎖する。これに対して、操作ハンドル４の延出部４３の軸方向の長さ寸法Ｒは、溝部１６の長さ寸法Ｐおよび突起部３５の長さ寸法Ｑよりも大きくされている。延出部４３の長さ寸法Ｒを突起部３５の長さ寸法Ｑよりも大きくすることによって、操作ハンドル４を回転できるまでハウジング１０内に挿入すれば、突起部３５は必ず溝部１６から外れることとなり、操作ハンドル４の軸方向への押し付けと、回動との操作感覚を得易い。したがって、容易に操作ハンドル４を回動させて、シャッター板３０および回転体２０を回転させるとともに、爪金具６０を回転させることができる。
【００３３】
溝部１６の長さ寸法Ｐよりも延出部４３の長さ寸法Ｒの方が大きくなるようにされているので、溝部１６に延出部４３が嵌合している解錠状態では、溝部１６から延出部４３が飛び出している。しかし、凹部２４ａ〜２４ｄの軸方向の長さ寸法Ｓは、少なくとも延出部４３の長さ寸法Ｒと羽根３１ａ〜３１ｄの軸方向の長さ寸法Ｔとを加算した寸法よりも大きくすればよいので、従来技術のようにフランジ１１内部に凸部を形成する場合に比べてその軸方向の長さ寸法を小さくすることができる。なお、延出部４３の長さ寸法Ｒは、突起部３５の長さ寸法Ｑと同じか、それよりも大きければよい。
【符号の説明】
【００３４】
１    施錠装置
３    錠本体
４    操作ハンドル
１０    ハウジング
１１    フランジ
１２    円筒部
１４    貫通孔
１６    溝部
１７ａ  端部（回転規制手段）
１７ｂ  端部（回転規制手段）
２０    回転体
２２    延出軸
２４ａ〜２４ｄ    凹部
３０    シャッター板
３１ａ〜３１ｄ    羽根
３４    スプリング（付勢手段）
３５    突起部
４１    軸部
４２    握持部
４３    延出部
５２ａ  係止部（回転規制手段）
５２ｂ  係止部（回転規制手段）
６０    爪金具
【図１】
2011117149.tif 000003
【図２】
2011117149.tif 000004
【図３】
2011117149.tif 000005
【図４】
2011117149.tif 000006
【図５】
2011117149.tif 000007
【図６】
2011117149.tif 000008